(57)【要約】【課題】集塵手段に付着した塵埃を効率よく取り除く事ができる電気掃除機を提供する。【解決手段】集塵手段１２を着脱自在に収納する集塵室１３と、前記集塵室１３に連通すると共に吸引風を発する電動送風機１４と、前記集塵手段１２の内壁に付着した塵埃を取り除く振動板２９を備え、前記振動板２９を、前記集塵手段１２の上面と前記電動送風機１４に対向する背面に沿うように形成したもので、集塵手段１２の上面、背面の両面の内面に付着し堆積した塵埃をはたき落とすことが可能となる。その結果、吸引風の低下を減少させ吸引効率を良化させることができるものとなる。【選択図】図１
2006006610.tif 000002
【特許請求の範囲】
【請求項１】
集塵手段を着脱自在に収納する集塵室と、前記集塵室に連通すると共に吸引風を発する電動送風機と、前記集塵手段の内壁に付着した塵埃を取り除く振動板を備え、前記振動板を、前記集塵手段の上面と前記電動送風機に対向する背面に沿うように形成したことを特徴とする電気掃除機。
【請求項２】
振動板の集塵手段の上面側に位置する面を、ほぼ開ききった前記集塵手段の形状に沿うように形成したことを特徴とする請求項１に記載の電気掃除機。
【請求項３】
振動板の少なくとも集塵手段の上面側に位置する面に、通気穴を設けたことを特徴とする請求項１又は２に記載の電気掃除機。
【請求項４】
集塵室の上方開口を開閉自在に覆う集塵蓋を設け、前記集塵蓋と集塵手段の上面との間に通気用の空間を介して振動板を配置したことを特徴とする請求項１〜３のいずれか１項に記載の電気掃除機。
【請求項５】
振動板の集塵手段と接触する面積を、前記集塵手段の背面側よりも上面側を大きくしたことを特徴とする請求項１〜４のいずれか１項に記載の電気掃除機。
【請求項６】
集塵室内に、集塵手段が装着されるバスケットを着脱自在に設け、前記バスケットを、ほぼ開ききった前記集塵手段の外形形状に沿うように形成し、前記バスケットで前記集塵手段を押さえるようにしたことを特徴とする請求項１〜５のいずれか１項に記載の電気掃除機。
【発明の詳細な説明】
【技術分野】
【０００１】
本発明は、電気掃除機に関するもので、特に集塵手段に付着した塵埃を取り除く除塵手段を有する電気掃除機に関するものである。
【背景技術】
【０００２】
従来のこの種の電気掃除機について、図６を用いて説明する。
【０００３】
図６は、従来の電気掃除機の部分断面図である。
【０００４】
電気掃除機の掃除機本体１の前部に集塵手段である集塵袋４を内蔵した集塵室８が設けられ、後部には、電動送風機７を内蔵した電動送風機室９が設けられている。集塵室８と電動送風機室９は、連通口３を有する隔壁２で区画されると共に、その連通口３で、集塵室８と電動送風機７とが連通されている。
【０００５】
５は、隔壁２の連通口３に面する集塵袋４の面ａに付着する塵埃を除塵する除塵手段で、制御手段６で振動させられ、集塵袋４の面ａを叩くものである。そして、電動送風機７の吸気部７ａに面する集塵袋４の面ａに強く付着した塵埃を取り除いて、吸い込み力の低下を防止することができるものである(例えば、特許文献１参照)。
【特許文献１】特開平５−９１９６２号公報
【発明の開示】
【発明が解決しようとする課題】
【０００６】
しかしながら、上記構成では、電動送風機７と連通する連通口３に面する集塵袋４の面ａに限定して除塵手段５を設けている為、構成が多様化する集塵袋４及び電気掃除機においては、効率的な除塵効果が望めないという課題があった。
【０００７】
本発明は上記課題を解決するもので、集塵手段に付着した塵埃を効率よく取り除くことができる電気掃除機を提供することを目的とするものである。
【課題を解決するための手段】
【０００８】
上記従来の課題を解決するために、本発明の電気掃除機は、集塵手段を着脱自在に収納する集塵室と、前記集塵室に連通すると共に吸引風を発する電動送風機と、前記集塵手段の内壁に付着した塵埃を取り除く振動板を備え、前記振動板を、前記集塵手段の上面と前記電動送風機に対向する背面に沿うように形成したもので、集塵手段の上面と背面のそれぞれの内面に付着し堆積した塵埃がはたき落とされ、吸引風の低下を減少させ吸引効率を著しく良化させることができる。
【発明の効果】
【０００９】
本発明の電気掃除機は、集塵手段に付着した塵埃を効率よく取り除く事ができる。
【発明を実施するための最良の形態】
【００１０】
第１の発明は、集塵手段を着脱自在に収納する集塵室と、前記集塵室に連通すると共に吸引風を発する電動送風機と、前記集塵手段の内壁に付着した塵埃を取り除く振動板を備え、前記振動板を、前記集塵手段の上面と前記電動送風機に対向する背面に沿うように形成したもので、集塵手段の上面と背面のそれぞれの内面に付着し堆積した塵埃がはたき落とされ、吸引風の低下を減少させ吸引効率を著しく良化させることができる。
【００１１】
第２の発明は、特に、第１の発明の振動板の集塵手段の上面側に位置する面を、ほぼ開ききった前記集塵手段の形状に沿うように形成したもので、集塵手段の容量を最大限活用することができる。
【００１２】
第３の発明は、特に、第１又は第２の発明の振動板の少なくとも集塵手段の上面側に位置する面に、通気穴を設けたもので、集塵手段の通気性を向上させることができる。
【００１３】
第４の発明は、特に、第１〜３のいずれか１つの発明の集塵室の上方開口を開閉自在に覆う集塵蓋を設け、前記集塵蓋と集塵手段の上面との間に通気用の空間を介して振動板を配置したもので、さらに集塵手段の通気性を向上させることができる。
【００１４】
第５の発明は、特に、第１〜４のいずれか１つの発明の振動板の集塵手段と接触する面積を、前記集塵手段の背面側よりも上面側を大きくしたもので、集塵手段上面に付着し堆積した塵埃がより多くはたき落とされ、吸引風の低下を減少させ吸引効率を良化させることができるものとなる。
【００１５】
第６の発明は、特に、第１〜５のいずれか１つの発明の集塵室内に、集塵手段が装着されるバスケットを着脱自在に設け、前記バスケットを、ほぼ開ききった前記集塵手段の外形形状に沿うように形成し、前記バスケットで前記集塵手段を押さえるようにしたもので、通過風が増加し塵埃の付着が多くなる集塵手段の上面、背面の除塵ができるので、より前記除塵手段における効果の拡大が図れるものとなる。
【００１６】
以下、本発明の実施の形態について、図面を参照しながら説明する。なお、この実施の形態によりこの発明が限定されるものではない。
【００１７】
（実施の形態１）
本発明の第１の実施の形態における電気掃除機について、図１〜図５を用いて説明する。
【００１８】
図１は、本発明の実施の形態１における電気掃除機の掃除機本体の断面図、図２は、同掃除機本体の分解斜視図、図３は、同掃除機本体の集塵室内部及び振動板の斜視図、図４は、同電気掃除機の除塵手段の部品構成を示す分解斜視図、図５は、同除塵手段の下面図
である。
【００１９】
図１〜５において、掃除機本体１０は、外郭を形成すると共に上方開口した下カバー１１と、下カバー１１の前方に配され塵埃を捕集する集塵手段１２を収納する集塵室１３と、下カバー１１の後方に配され吸引風を発生する電動送風機１４を収納する電動送風機室１５を備えている。電動送風機室１５の上方は上カバー１６で覆われ、また集塵室１３の上方は、上カバー１６に回転自在に軸支された集塵蓋１８により開閉自在に覆われている。
【００２０】
集塵手段１２は、硬質材で形成された固定部１２ａと、紙、布等の軟質材で形成されしかも通風性を有し、袋状に形成された集塵部１２ｂから構成されている。前記集塵室１３の前方には逆止弁２２を保持した前壁２１が形成され、その集塵室１３側下方には断面が略Ｌ字状の保持リブ４５がコの字状に設けられている。また、その上方にはバネ４６により付勢され、さらに回動自在に軸支された固定部押さえ４７が配設されており、これらは前記集塵手段１２を収納するための保持手段として構成されるものである。
【００２１】
その収納構成は、次の通りである。
【００２２】
集塵手段１２は、装着部であるバスケット２３に着脱自在に装着され、その後バスケット２３ごと集塵室１３に装着し、固定部１２ａの上端枠に固定部押さえ４７を回動して引っ掛けて保持を達成し、収納を行う。またその際前記固定部１２ａは、逆止弁２２と密着した状態で保持されるものとなり、塵埃を捕集する集塵手段１２と集塵室１３とのタイトが確立し、ゴミもれ対策が行なわれる。
【００２３】
次に、電動送風機１４は、クッション前４２及びクッション後１７を介して下カバー１１と上カバー１６とで狭持されている。１９は、電動送風機室１５と集塵室１３を仕切る仕切壁であり、下カバー１１及び集塵蓋１８に相対するように設けられており、この仕切壁１９同士の間にパッキン４２を介して空気のタイトを行い、気密性を確保するようにしている。仕切壁１９に設けた連通口２０は、集塵室１３と電動送風機１４とを連通するもので、格子状のリブが形成されている。前記連通口２０の集塵室１３側前方所謂集塵室１３内には、下カバー１１より立設し収納された集塵手段１２の集塵部１２ｂの外面に臨んで、振動動作を与えるための振動板２９を有した除塵手段２８が設けられている。
【００２４】
振動板２９は、集塵部１２ｂの上面と電動送風機１４と対向する背面に沿わせ、さらに集塵部１２ｂの上面側に位置する面を集塵手段１２がほぼ開ききった形状に沿わせた構成としている。また、振動板２９は集塵部１２ｂの上面側に位置する面に通気穴２９ａが設けられている。
【００２５】
上記構成により、振動板２９で集塵部１２ｂの上面、背面の両面の内面に付着し堆積した塵埃をはたき落とすことが可能となる。また、集塵部１２ｂの容量を最大限使うことができ、さらに集塵部１２ｂの通気性を向上させることができる。その結果、吸引風の低下を減少させ吸引効率を向上させることができる。
【００２６】
次に、除塵手段２８の構成及び動作の詳細について説明する。
【００２７】
図４、５において、除塵手段２８は、集塵室１３下方の下カバー１１下部内に格納され蓋カバー３０で固定されており、除塵手段２８の本体ケース３１からは、可動板３２より立設した中空円柱状のアーム３３が集塵室１３内へ突出しており、このアーム３３に格子形状をなす振動板２９の下部にある突起４８が挿入嵌合される。
【００２８】
振動板２９は、仕切壁１９の連通口２０に面する集塵部１２ｂの外面に臨んだ位置に配設されているため、集塵部１２ｂを通過して連通口２０から吸引される吸引風を遮らないように格子形状としている。また、アーム３３はリング状のゴム製ブッシング３４を介して本体ケース３１に固定されている。
【００２９】
本体ケース３１内には、電磁石３５と電磁石３６の吸引作用面と対向して平行に配置された磁石３７を先端部に固着した可動板３２が内蔵されており、可動板３２の磁石３７と反対側の一端はゴム製のスリーブ３８を介してネジ３９により、可動板３２が回動自在となるように本体ケース３１に固定されている。
【００３０】
振動制御回路（図示せず）によりスイッチ（図示せず）がＯＮされ電磁石３５、３６にＡＣ１００Ｖ電源が通電されると、電磁石３５、３６に生じた磁界により先端部に磁石３７を固着した可動板３２はネジ３９で固定した一端を支点として、アーム３３がゴム製ブッシング３４を前後に撓ませながら矢印４０、４１方向へＡＣ１００Ｖ電源の電源周波数（５０Ｈｚまたは６０Ｈｚ）に応じた周期で振動する。その振動はアーム３３を介して振動板２９に伝えられ、振動板２９も同様に矢印４０、４１方向へ振動し、集塵手段１２の集塵部１２ｂの外面を振動させ除塵を行うものである。
【００３１】
以上のように本実施の形態によれば、集塵部１２ｂに付着した塵埃を除塵する除塵手段２８を備えたことにより、集塵手段１２の集塵部１２ｂに付着し堆積した塵埃をはたき落とすことが可能となる。その結果、吸引風の低下を減少させ吸引効率を向上させることができる。
【００３２】
また、除塵手段２８を集塵室１３内部に設けたことにより、除塵手段２８の構成として複数の部品による動作の連動が不用となり、且つ集塵手段１２に直接除塵動作を与えることが可能となるため、構成が簡素化され、部品数の削減並びに関係部品の低減による規制緩和で除塵手段２８の構成の多様化が容易に実現できる。
【００３３】
また、集塵室１３内部に設けた集塵手段１２の集塵部１２ｂに除塵手段２８が動作を加えるようにしたので、主として塵埃が付着し堆積した部分を直接動作させることになるので効率的な除塵効果が得られるものとなる。
【００３４】
また、集塵室１３の内部に設けた集塵手段１２の集塵部１２ｂを軟質材で形成したことにより、除塵手段２８による動作が軟質材で形成された集塵部１２ｂのみの動きで緩和され、硬質材で形成した固定部１２ａまでは、前記除塵動作が伝わらない。その結果、逆止弁２２と集塵手段１２の固定部１２ａとの密着部への動きの連動が無く、タイト性が向上し、ゴミ漏れ等が解消されるものとなる。
【００３５】
また、除塵手段２８を、電動送風機室１５と集塵室１３とを連通する連通口２０の近傍に配設したので、吸引風が通過し塵埃の付着が多い集塵部１２ｂの除塵が可能となる。その結果、前記除塵手段２８における除塵効果の拡大が図れるものとなる。
【００３６】
又、除塵手段２８を連通口２０に対向した位置に配設することにより、吸引風が通過し塵埃の付着が最も多い集塵部１２ｂの除塵が可能となる。その結果、より除塵手段２８における除塵効果の拡大が図れるものとなる。また、振動板２９を格子状に形成したことにより、通気性を確保し、吸引風に対する通風抵抗が低減でき、電気掃除機における吸い込み性能の劣化を防止することができる。
【００３７】
また、図１に示すように、集塵蓋１８と、集塵手段１２の集塵部１２ｂの上に位置する部分との間に空間１３ａを確保するようにすれば、集塵手段１２の集塵部１２ｂの上面での通気性を大幅に向上させることができる。
【００３８】
さらに、振動板２９と集塵手段１２の集塵部１２ｂの上面と接する面積を、振動板２９と集塵部１２ｂの背面と接触する面積よりも大きくするようにすれば、集塵部１２ｂの上面に付着し堆積した塵埃をより多くはたき落とすことができ、それにより吸引効率をより良化させることができる。
【００３９】
また、バスケット２３を、吸引風でほぼ開ききった集塵手段１２の外形形状に沿うように形成し、バスケット２３で前記集塵手段１２を押さえるようにすれば、集塵手段１２の上面及び背面での通過風が増加し、その部分での塵埃の付着、堆積が多くなるので、その部分に集塵手段１２による除塵動作を加える事で、より除塵手段２８による除塵効果の拡大が図れるものとなる。
【産業上の利用可能性】
【００４０】
以上のように、本発明にかかる電気掃除機は、集塵手段に付着し堆積した塵埃を効率よくはたき落とすことで、吸引風の低下を減少させ吸引効率を良化させることができるもので、家庭用、業務用電気掃除機、集塵機に広く適用できる。
【図面の簡単な説明】
【００４１】
【図１】本発明の実施の形態１における電気掃除機の掃除機本体の断面図
【図２】同掃除機本体の分解斜視図
【図３】同掃除機本体の集塵室内部及び振動板の斜視図
【図４】同電気掃除機の除塵手段の部品構成を示す分解斜視図
【図５】同除塵手段の下面図
【図６】従来の電気掃除機の部分断面図
【符号の説明】
【００４２】
１２    集塵手段
１３    集塵室
１４    電動送風機
１５    電動送風機室
１９    仕切壁
２０    連通口
２８    除塵手段
２９    振動板
２９ａ  通気穴
【図１】
2006006610.tif 000003
【図２】
2006006610.tif 000004
【図３】
2006006610.tif 000005
【図４】
2006006610.tif 000006
【図５】
2006006610.tif 000007
【図６】
2006006610.tif 000008